(57)【要約】【課題】電子機器ケースにおいて、各種内部コネクタに対し、カバーを共通化することにより、金型制作費を節約すると共に、金型及びカバー部品の管理を容易にする。【解決手段】ケース本体１１は、概ね矩形状の底壁１２と、該底壁１２の一対の側壁１３，１４と、端壁１５と、を有すると共に、前記端壁１５と反対側の端部に第１の開口部２３が形成されている。基板１には、第１の開口部２３側の端部に、前記外部コネクタが接続可能な内部コネクタ３が設けられている。カバー３１には、ケース本体１１の第１の開口部２３及び端壁１５のいずれか一方側の端部に、上方から外部コネクタが挿入可能な第２の開口部４３が形成されている。カバー３１は、ケース本体１１に対し、第２の開口部４３が第１の開口部２３側に位置する第１の取付状態と、前記第２の開口部４３が端壁１５側に位置する第２の取付状態とに、選択的に取付可能となっている。【選択図】図１
2007201358.tif 000002
【特許請求の範囲】
【請求項１】
電子部品及び内部コネクタが載置される概ね矩形状の基板を支持するケース本体と、前記電子部品を覆うように前記ケース本体に取り付けられるカバーと、を備えた電子機器ケースにおいて、
前記ケース本体は、概ね矩形状の底壁と、該底壁の相対向する二辺に立設された第１、第２の側壁と、残りの二辺の一方に立設された端壁と、を有すると共に、該端壁と反対側であって前記基板の内部コネクタが位置する端部に第１の開口部が形成され、
前記カバーには、前記ケース本体の第１の開口部及び前記端壁のいずれか一方側の端部に、上方から外部コネクタが挿入可能な第２の開口部を形成し、
前記カバーは、前記ケース本体に対し、前記第２の開口部が前記ケース本体の第１の開口部側に位置する第１の取付状態と、前記第２の開口部が前記ケース本体の端壁側に位置する第２の取付状態とに、選択的に取付可能となっていることを特徴とする電子機器ケース。
【請求項２】
請求項１記載の電子機器ケースにおいて、
前記カバーを前記ケース本体に取り付けるための取付部として、前記ケース本体の前記両側壁に、ねじ孔を有する係合部をそれぞれ形成し、前記カバーの一側に、前記ケース本体の係合部に係合可能な係合部を形成し、他側に、前記ケース本体の係合部のねじ孔に対応するにねじ挿通孔を形成し、
前記カバーの係合部を、前記ケース本体のいずれか一方の側壁の係合部に係合し、前記カバーのねじ孔に挿通したねじを、前記ケース本体の他方の側壁の係合部のねじ孔に螺着することにより、前記カバーを前記ケース本体に取り付けていることを特徴とする電子機器ケース。
【請求項３】
請求項２記載の電子機器ケースにおいて、
前記カバーの係合部は、前記ケース本体への取付時に、前記ケース本体の係合部のねじ孔を覆うように形成してあることを特徴とする電子機器ケース。
【発明の詳細な説明】
【技術分野】
【０００１】
本発明は、電源装置等の電子機器の外装として用いる電子機器ケースに関し、特に、電子部品及び内部コネクタが載置された概ね矩形状の基板を支持するケース本体と、前記電子部品を覆うように前記ケース本体に取り付けられるカバーと、を備えた電子機器ケースに関する。
【背景技術】
【０００２】
電子機器ケース内に収納される基板には、たとえば電源装置用の各種電子部品が載置されると共に、通常は、基板端部に、ハーネスやケーブルの外部コネクタが接続可能な内部コネクタが配設されている。
【０００３】
上記コネクタの接続方式としては、ピン接続方式やねじ接続方式があり、ピン接続方式の場合は、たとえば端子台上に複数のピン端子を上向きに突設し、上方からハーネス等のソケット形外部コネクタを接続する構造（特許文献１参照）や、端子台の垂直面にピン端子を水平方向に突設し、ハーネス等のソケット形外部コネクタを水平方向に接続する構造がある。また、ねじ接続方式の場合は、端子台に複数のねじ端子を螺合し、ハーネス等に設けられたＵ形端子（又は環状端子）等の外部コネクタをねじ端子に嵌合し、ねじを締め付けることにより接続する構造が一般的である。このねじ接続方式の場合には、ハーネス等のＵ形端子を基板側のねじ端子に嵌合すると共に、外部から工具を利用してねじ端子を回転させる必要性があるので、一般に、端子台は、ケース本体の外部に突出するように設けられている。
【特許文献１】特開２００５−３３０５４号公報
【発明の開示】
【発明が解決しようとする課題】
【０００４】
従来の電子機器ケースのケース本体及びカバーの形状は、内部コネクタの種類又は取付状態にそれぞれ対応するように、各種の開口部等を有する形状に形成されており、また、ケース本体に対し、カバーは一つの取付状態でのみ取り付けられるようになっている。したがって、カバーを製作する場合には、各内部コネクタの仕様に対応したカバー用の金型をそれぞれ製作しなければならず、高額な金型費用がかかると共に、金型の管理及び複数種類のカバーの管理にも手間がかかる。
【０００５】
本発明は、基板側の内部コネクタの種類、型式又は取付状態が異なっていても、同一形状のカバーにより、各種コネクタに応じて最適な状態で電子機器を覆うことができるようにし、それにより、金型等の製作費の削減及び部品等管理の簡素化を図ることを目的としている。また、組立作業を容易にすることも、本発明の目的である。
【課題を解決するための手段】
【０００６】
上記課題を解決するため、請求項１記載の発明は、電子部品及び内部コネクタが載置される概ね矩形状の基板を支持するケース本体と、前記電子部品を覆うように前記ケース本体に取り付けられるカバーと、を備えた電子機器ケースにおいて、前記ケース本体は、概ね矩形状の底壁と、該底壁の相対向する二辺に立設された第１、第２の側壁と、残りの二辺の一方に立設された端壁と、を有すると共に、該端壁と反対側であって前記基板の内部コネクタが位置する端部に第１の開口部が形成され、前記カバーには、前記ケース本体の第１の開口部及び前記端壁のいずれか一方側の端部に、上方から外部コネクタが挿入可能な第２の開口部を形成し、前記カバーは、前記ケース本体に対し、前記第２の開口部が前記ケース本体の第１の開口部側に位置する第１の取付状態と、前記第２の開口部が前記ケース本体の端壁側に位置する第２の取付状態とに、選択的に取付可能となっている。
【０００７】
上記構成によると、たとえば、上向きのピン端子を有する内部コネクタを基板に設けている場合には、カバーの第２の開口部がピン端子の上側に位置するように、カバーをケース本体に取り付け、これにより、上方からカバーの第２の開口部を通してハーネス等の外部コネクタを挿入できるようにし、一方、上記のような上向きのピン端子を有する内部コネクタとは異なって、接続方向が水平方向のピン端子を有する内部コネクタや、基板から外方に突出するねじ端子を有するコネクタ等を基板に設けている場合には、カバーの第２の開口部が、ケース本体の第１の開口部とは反対側の端壁側に位置するように、カバーをケース本体に取り付け、これにより、基板上の内部コネクタ付近の電子機器が第２の開口部により外部に露出されるのを防ぐと共に、水平方向に接続される外部コネクタであっても、第１の開口部を介して水平方向に挿入することができるようになる。
【０００８】
すなわち、基板端部に設けられる内部コネクタの種類、型式又は取付状態が異なっていても、一つのカバーの取付状態を変更することにより、外部コネクタの接続作業に支障を来すことなく、各種内部コネクタに適した状態で基板上の電子部品を覆うことができ、カバー用の金型を共用でき、その製作費が節約できると共に、金型及びカバー等の部品の管理も容易になる。
【０００９】
請求項２記載の発明は、請求項１記載の電子機器ケースにおいて、前記カバーを前記ケース本体に取り付けるための取付部として、前記ケース本体の前記両側壁に、ねじ孔を有する係合部をそれぞれ形成し、前記カバーの一側に、前記ケース本体の係合部に係合可能な係合部を形成し、他側に、前記ケース本体の係合部のねじ孔に対応するにねじ挿通孔を形成し、前記カバーの係合部を、前記ケース本体のいずれか一方の側壁の係合部に係合し、前記カバーのねじ孔に挿通したねじを、前記ケース本体の他方の側壁の係合部のねじ孔に螺着することにより、前記カバーを前記ケース本体に取り付けている。
【００１０】
上記構成によると、カバーをケース本体に組み付ける際、一方の側壁は係合部同士で結合するので、他方の側壁のみをねじにより結合すればよく、組立作業の能率が向上する。
【００１１】
請求項３記載の発明は、請求項２記載の電子機器ケースにおいて、前記カバーの係合部は、前記ケース本体への取付時に、前記ケース本体の係合部のねじ孔を覆うように形成してある。
【００１２】
上記構成によると、ケース本体にカバーを取り付ける作業において、係合部同士を係合する箇所はねじが不要であるが、カバーの係合部によりケース本体側の係合部のねじ孔が覆われるので、組立作業者は、間違って係合部同士の係合部にねじを挿入することはなく、作業中の組立ミスを防止することができる。
【発明を実施するための最良の形態】
【００１３】
図１〜図６は、上向きのピン端子５を有する内部コネクタ（たとえば電源用コネクタ）３が設けられた基板１を、本発明に係る電子機器ケース内に収納支持した構造を示し、図７〜図１２は、ねじ端子６２を有する内部コネクタ６０が設けられた基板１を、本発明に係る電子機器ケース内に収納支持した構造を示している。
【００１４】
［上向きのピン端子を有する内部コネクタを備えた基板に適用した場合の構成］
図１は電子機器ケースの分解斜視図であり、説明の都合上、基板１の長手方向を前後方向とし、短手方向を左右方向として、以下説明する。この図１において、電子機器ケースは、下側のケース本体１１と、上側のカバー３１とを備え、ケース本体１１内に基板１が収納支持され、第１の取付状態のカバー３１により基板１の上方を覆うようになっている。
【００１５】
（基板１の構造）
矩形状の基板１上には、複数の電子部品２が載置されると共に、前端部にピン式の内部コネクタ３が取り付けられている。該内部コネクタ３は、基板１の前端部の上面に固定された端子台４と、該端子台４の上面に上方突出状に突設された複数のピン端子５から構成されており、図示しないが、上方からハーネス又はケーブルに設けられたソケット型外部コネクタが接続される。基板１の四隅及び前端部寄りの左右幅の中央部付近には、基板１をケース本体１１に取り付けるためのねじ挿通孔８が形成されている。
【００１６】
（ケース本体１１の構造）
ケース本体１１は、前後方向に長い矩形状の底壁１２と、該底壁１２の左右の辺に立設されると共に略垂直上方に延びる第１，第２の側壁１３，１４と、後端に形成された後壁１５と、を一体に備えており、前端は、全面が開口する第１の開口部２３となっている。  
【００１７】
第１の側壁１３の内面には、前後端部及び前後方向の中間部の位置に、基板１の一側端部１ａを支持するために、上下一対の支持突起１６がそれぞれ切り起こされ、底壁１２の第２の側壁１４側の端部には、前後端部の位置に、上方に突出するＬ字形の支持台１８が切り起こされ、各支持台１８はねじ孔１８ａを有すると共に、前記上下一対の支持突起１６間の溝の高さと略同じ高さに形成されている。また、底壁１２の前端部寄りの左右幅の中央部付近にも、前記支持台１８が形成されている。
【００１８】
後壁１５は、底壁１２の後端から略垂直上方に立ち上がると共に、途中で前方に所定角度で折れ曲がり、さらに上端部は略水平に前方へ突出するように折れ曲がっている。
【００１９】
第１の側壁１３の前後端部には、内向きにＬ字状に切り起こされた第１の係合部２０が形成されており、各第１の係合部２０にはそれぞれねじ孔２０ａが形成されている。第２の側壁１４の前後端部にも、内向きにＬ字状に切り起こされた第２の係合部２１が形成されており、各第２の係合部２１にはそれぞれねじ孔２１ａが形成されている。ケース本体１１の両側壁１３，１４には、多数の放熱孔（図３及び図４参照）が形成されているが、図１では省略してある。
【００２０】
（カバーの構造）
カバー３１は、前後方向に長い矩形状の上壁３２と、該上壁３２の左右の辺に形成されると共に略垂直下方に延びる第１，第２の側壁３３，３４と、前後方向の一端に形成された第１の端壁３５と、他端に形成された第２の端壁３６と、を一体に備えており、該第２の端壁３６の下端から上壁３２の端部に亘り、前記内部コネクタ３の全体を上方に露出させうる広さの第２の開口部４３が形成されている。
【００２１】
第１の側壁３３の前後端部には、下方に突出する突片４０が形成され、該突片４０にはねじ挿通孔４０ａがそれぞれ形成されている。第２の側壁３４の前後端部には、下方に突出すると共に外方にＬ字形に折れ曲がるフック状の係合部４１がそれぞれ形成されている。なお、カバー３１の全面にも、多数の放熱孔が形成されているが、図１では省略してある。
【００２２】
（組立工程）
（１）図１において、基板１を、内部コネクタ３がケース本体１１の第１の開口部２３側に位置する状態で、ケース本体１１内に挿入する。
【００２３】
（２）図６は組立状態の後面図であり、基板１の一側端部１ａを、ケース本体１１の第１の側壁１３の支持突起１６間に差し込み、基板１の他側端部１ｂを、ケース本体１１の底壁１２に形成された支持台１８上に載置し、ボルト５０により固定する。
【００２４】
（３）次に、図１において、カバー３１を、第２の開口部４３が第１の開口部２３側に位置する状態（第１の取付状態）で、ケース本体１１に上方から被せる。
【００２５】
（４）図５は、組立状態の前面図であり、カバー３１の第２の側壁３４に形成したＬ字状の係合部４１を、ケース本体１１の第２の側壁１４に形成した第２の係合部２１に係合し、次に、カバー３１の第１の側壁３３に形成した突片４０を、ケース本体１１の第１の側壁１３に形成した第１の係合部２０に載置し、ねじ５１を、係合部２０のねじ挿通孔２０ａに挿通すると共に、突片４０のねじ孔４０ａに螺着する。これにより、電子機器ケースの組立は完了する。
【００２６】
上記のようにねじ５１を取り付ける工程において、ケース本体１１の第２の側壁１４の第２の係合部２１のねじ挿通孔２１ａは、カバー３１の係合部４１により覆われるので、組立作業者が、誤って、第２の側壁１４の係合部２１のねじ挿通孔２１ａにねじ５１を挿通するという作業ミスを阻止することができる。
【００２７】
（組立完了状態）
図２は平面図であり、基板１の前端部に設けられた内部コネクタ３は、平面視で、カバー３１の第２の開口部４３を通して外部に完全に露出した状態となっているが、図３及び図４の各側面図から明らかなように、内部コネクタ３の左右側方は、ケース本体１１の左右の側壁１３，１４により覆われている。
【００２８】
すなわち、ハーネス等に設けられた外部コネクタは、上方からカバー３１の第２の開口部４３を通してケース本体１１内に挿入され、内部コネクタ３に接続される。
【００２９】
［ねじ端子を有する内部コネクタを備えた基板に適用した場合の構成］
図７は第２の取付状態でカバー３１を取り付ける電子機器ケースの分解斜視図、図８は平面図、図９は左側面図、図１０は右側面図、図１１は前面図及び図１２は後面図である。図７において、基板１の前端部には、ねじ式の内部コネクタ６０が取り付けられており、該内部コネクタ６０は、基板１の前端から前方に突出する端子台６１と、該端子台６１の前面に螺挿された複数のねじ端子６２から構成されている。
【００３０】
ケース本体１１及びカバー３１は、図１のケース本体１１及びカバー３１と全く同じ物を使用しているが、組立時において、カバー３１を、前後逆向きにした第２の取付状態でケース本体１１に取り付ける。すなわち、図７において、カバー３１は、第２の開口部４３を後端に位置させ、カバー３１の第１の側壁３３をケース本体１１の第２の側壁１４に合わせ、カバー３１の第２の側壁３４をケース本体１１の第１の側壁１３に合わせ、前記図１〜図６で説明した組立方法と同様な方法で、カバー３１をケース本体１１に取り付ける。
【００３１】
ただし、上記のようにカバー３１を前後逆向きに取り付けていることにより、図１２において、カバー３１の第２の側壁３４に形成したＬ字状の係合部４１は、ケース本体１１の第１の側壁１３の第１の係合部２０に係合し、カバー３１の第１の側壁３３に形成した突片４０は、ケース本体１１の第２の側壁１４の第２の係合部２１に載置し、ねじ５１を、第２の係合部２１のねじ挿通孔２１ａに挿通すると共に、突片４０のねじ孔４０ａに螺着している。この第２の取付状態においても、ケース本体１１の第１の側壁１３の第１の係合部２０のねじ挿通孔２０ａは、カバー３１の係合部４１により覆われるので、組立作業者が、誤って、第１の側壁１３の係合部２０のねじ挿通孔２０ａにねじ５１を挿通するという作業ミスを阻止することができる。
【００３２】
図８において、カバー３１の後端部に位置した第２の開口部４３は、ケース本体１１の後壁１５により概ね覆われており、基板１の前端部に設けられたねじ式の内部コネクタ６０は、平面視で、カバー３１の前端から突出した状態となっている。また、図１１において、カバーの第１の端壁３５は、ケース本体１１の第１の開口部２３の略上半分程度を前方から覆っており、コネクタ以外の電子部品が外部に露出しないようになっている。
【００３３】
ハーネス等に設けられたＵ形端子（外部コネクタ）は、各ねじ端子６２に嵌合され、前方からねじ回し等の工具を係合し、各ねじ端子６２を回転することにより、ハーネス等のＵ形端子を固定する。
【００３４】
このように、本実施の形態においては、共通の本体ケース１１及びカバー３１により、図１〜図６のように、上向きのピン端子５を有する内部コネクタ３を備えた基板１でも、図７〜図１２にように、前方から工具を差し込まなければならないようなねじ端子６２を有するねじ式の内部コネクタ６０を備えた基板でも、各内部コネクタの仕様に合わせて、電子部品を外部に露出させることなく、基板を収納することができ、これにより、ケース本体１１及びカバー３１用の金型も共用でき、製作コストが節約できると共に、金型及び各部品の管理も容易になる。
【発明の他の実施の形態】
【００３５】
（１）前記実施の形態では、図１のようにカバー３１の第１の側壁３３には、ねじ孔４０ａを有する突片４０を形成し、第２の側壁３４にはＬ字形の係合部４１を形成しているが、第１及び第２の側壁３３、３４のいずれにも、ねじ孔４０ａを有する突片４０を形成し、カバー３１をケース本体１１に組み付ける際には、四隅すべての突片４０を、ケース本体１１の係合部２０，２１にねじ５１で固定する構造とすることもできる。
【００３６】
（２）図１〜図１２の実施の形態におけるケース本体１１とカバー３１は、上向きのピン端子を有するピン式コネクタ並びにねじ端子を有するねじ式コネクタを基板に設けた場合に適用したが、更に、ピン式コネクタであっても、ピン端子を端子台に水平方に突出するように形成したコネクタを備えた基板にも適用できる。
【図面の簡単な説明】
【００３７】
【図１】本発明に係る電子機器ケースを、上向きのピン端子を有するピン式コネクタを備えた基板に適用した場合の分解斜視図である。
【図２】図１の電子機器ケースの平面図である。
【図３】図１の電子機器ケースの右側面図である。
【図４】図１の電子機器ケースの左側面図である。
【図５】図１の電子機器ケースの前面図である。
【図６】図１の電子機器ケースの後面図である。
【図７】本発明に係る電子機器ケースを、ねじ端子を有するねじ式コネクタを備えた基板に適用した場合の分解斜視図である。
【図８】図７の電子機器ケースの平面図である。
【図９】図７の電子機器ケースの右側面図である。
【図１０】図７の電子機器ケース左側面図である。
【図１１】図７の電子機器ケースの前面図である。
【図１２】図７の電子機器ケースの後面図である。
【符号の説明】
【００３８】
１  基板
２  電子部品
３  ピン式内部コネクタ
４  端子台
５  ピン端子
１１  ケース本体
１２  ケース本体の底壁
１３  ケース本体の第１の側壁
１４  ケース本体の第２の側壁
１５  ケース本体の後壁
２０、２１  係合部
２０ａ，２１ａ  ねじ挿通孔
２３  第１の開口部
３１  カバー
４０  突片
４０ａ  ねじ孔
４１  カバーの係合部
４３  第２の開口部
６０  ねじ式内部コネクタ
６１  端子台
６２  ねじ端子
【図１】
2007201358.tif 000003
【図２】
2007201358.tif 000004
【図３】
2007201358.tif 000005
【図４】
2007201358.tif 000006
【図５】
2007201358.tif 000007
【図６】
2007201358.tif 000008
【図７】
2007201358.tif 000009
【図８】
2007201358.tif 000010
【図９】
2007201358.tif 000011
【図１０】
2007201358.tif 000012
【図１１】
2007201358.tif 000013
【図１２】
2007201358.tif 000014